(57)【要約】      （修正有）【課題】配線が複雑な場所における接続作業が容易に行なえると共に、接続する電線の仮止め保持が簡単に解除可能として、作業性の向上を図る。【解決手段】ベース部材１０の第１及び第２の電線受溝１１，１２に受承した２本の電線を、閉鎖位置に移動させた電線押え部材２０とカバー部材２５とで押圧保持すると、２本の電線の芯線がそれぞれ対応するスロット３１，３１に押し込まれて、導電性接触子３と電気的に接触するようになっている電気コネクタにおいて、電線押え部材２０は、閉鎖位置においてベース部材１０の第１の電線受溝１１に対応する第１の電線押え溝２１と、隔壁１３に設けた係合孔１９に係合する係止爪２３とを有し、かつ、可撓性連結片１４，１４によりベース部材１０に対して縦方向にも移動可能に結合されていて、電線押え部材２０を縦方向へ移動させることで係合孔１９に係合した係止爪２３が係合離脱可能に構成されている。【選択図】図１
2009151962.tif 000002
【特許請求の範囲】
【請求項１】
２本の電線を並列して電気的に接続する電気コネクタであって、
絶縁ハウジングが、第１及び第２の電線受溝が並列して設けられ、中央部位に前記第１及び第２の電線受溝を画成する隔壁を有するベース部材と、該ベース部材の両側に可撓性連結片を介して一体的に結合され、前記ベース部材から離れた開放位置から前記ベース部材に重ね合わせる閉鎖位置へ移動可能である電線押え部材及びカバー部材とを備え、
前記カバー部材の内側に装着された板状の導電性接触子が、前記カバー部材が前記閉鎖位置に移動したとき、前記ベース部材の前記第１及び第２の電線受溝を横切って延在すると共に、前記第１及び第２の電線受溝に対応する２つのスロットを有し、
前記第１及び第２の電線受溝に受承した前記２本の電線を、前記閉鎖位置に移動させた前記電線押え部材と前記カバー部材とで押圧保持すると、前記２本の電線の芯線がそれぞれ対応する前記スロットに押し込まれて、前記導電性接触子と電気的に接触するようになっており、かつ、前記閉鎖位置において前記電線押え部材及び前記カバー部材を前記ベース部材に係止する係止手段を備えている電気コネクタにおいて、
前記電線押え部材は、前記閉鎖位置において前記ベース部材の前記第１の電線受溝に対応する第１の電線押え溝と、前記隔壁に設けた係合孔に係合する係止爪とを有し、かつ、前記可撓性連結片により前記ベース部材に対して縦方向にも移動可能に結合されていて、前記電線押え部材を縦方向へ移動させることで前記係合孔に係合した前記係止爪が係合離脱可能に構成されていることを特徴とする電気コネクタ。
【請求項２】
前記カバー部材が、前記閉鎖位置において前記ベース部材の前記第２の電線受溝に対応する第２の電線押え溝を有していることを特徴とする請求項１記載の電気コネクタ。
【発明の詳細な説明】
【技術分野】
【０００１】
本発明は、２本の被覆電線を並列して電気的に接続する電気コネクタに関するものである。
【背景技術】
【０００２】
この種の電気コネクタには種々のタイプのものがあり、例えば特許文献１には、絶縁ハウジングが、２本の電線受溝が並列して設けられているベース部材と、該ベース部材の両側に可撓性連結片を介して一体的に結合され、前記ベース部材から離れた開放位置から前記ベース部材に重ね合わせる閉鎖位置へ移動可能である電線押え部材を備え、前記ベース部材に装着された板状の導電性接触子が、前記２本の電線受溝を横切って延在すると共に、前記２本の電線受溝に対応する２つのスロットを有し、前記２本の電線受溝に受承した２本の電線を、前記閉鎖位置に移動させた前記電線押え部材により押圧保持すると、前記２本の電線の芯線が対応する前記スロットに押し込まれて、前記導電性接触子と電気的に接触するようになっている電気コネクタが記載されている。
【０００３】
上記した公知の電気コネクタでは、２本の電線を１本ずつ前記電線押え部材により前記ベース部材に押圧保持させて前記導電性接触子に接続するため、前記電線押え部材を押圧する工具であるプライヤは２度用いなければならず、接線作業に手間を要するものであった。また、前記電線押え部材の前記ベース部材に対するロックが片側しかないため、振動等の外的要因に対して弱く、電気的に安定しにくいという問題がある。
【０００４】
また、特許文献２に記載の同種タイプの電気コネクタは、２本の電線受溝が並列して設けられている前記ベース部材の両側に可撓性連結片を介して一体的に結合される電線押え部材が、一方は２本の電線を同時に押圧して仮止め保持する電線押え部材で、他方は前記導電性接触子を装着するカバー部材である。
【０００５】
上記した公知の電気コネクタでは、１つの前記電線押え部材で２本の電線を同時に前記ベース部材に仮止め保持した状態で、前記カバー部材に装着した前記導電性接触子を前記２本の電線に押圧して電気的に接触させるので、押圧する工具であるプライヤは１度用いるだけで接続作業が簡単である。しかも、前記ベース部材の両側でロックしているので、電気的に安定している。しかし、接続する２本の電線を前記ベース部材に対して同時に仮止め保持しなければならないので、配線が複雑な場所での作業性が悪く、また、前記電線押え部材で仮止め保持した２本の電線に誤配線があった場合、前記電線押え部材による仮止め保持を解除して、電線を差し替える作業が容易でないという問題があった。
【特許文献１】特公昭５４−１０７１３号公報
【特許文献２】実公昭５９−２６５１９号公報
【発明の開示】
【発明が解決しようとする課題】
【０００６】
本発明は、上記した特許文献２すなわち、実公昭５９−２６５１９号公報に記載の電気コネクタを改良して、配線が複雑な場所における接続作業が容易に行なえると共に、接続する電線の仮止め保持が簡単に解除可能として、作業性の向上を図った電気コネクタを提供することを目的とする。
【課題を解決するための手段】
【０００７】
上記目的を達成するために、本発明は、２本の電線を並列して電気的に接続する電気コネクタであって、絶縁ハウジングが、第１及び第２の電線受溝が並列して設けられ、中央部位に前記第１及び第２の電線受溝を画成する隔壁を有するベース部材と、該ベース部材の両側に可撓性連結片を介して一体的に結合され、前記ベース部材から離れた開放位置から前記ベース部材に重ね合わせる閉鎖位置へ移動可能である電線押え部材及びカバー部材とを備え、前記カバー部材の内側に装着された板状の導電性接触子が、前記カバー部材が前記閉鎖位置に移動したとき、前記ベース部材の前記第１及び第２の電線受溝を横切って延在すると共に、前記第１及び第２の電線受溝に対応する２つのスロットを有し、前記第１及び第２の電線受溝に受承した前記２本の電線を、前記閉鎖位置に移動させた前記電線押え部材と前記カバー部材とで押圧保持すると、前記２本の電線の芯線がそれぞれ対応する前記スロットに押し込まれて、前記導電性接触子と電気的に接触するようになっており、かつ、前記閉鎖位置において前記電線押え部材及び前記カバー部材を前記ベース部材に係止する係止手段を備えている電気コネクタにおいて、前記電線押え部材は、前記閉鎖位置において前記ベース部材の前記第１の電線受溝に対応する第１の電線押え溝と、前記隔壁に設けた係合孔に係合する係止爪とを有し、かつ、前記可撓性連結片により前記ベース部材に対して縦方向にも移動可能に結合されていて、前記電線押え部材を縦方向へ移動させることで前記係合孔に係合した前記係止爪が係合離脱可能に構成されていることを特徴とする。
【０００８】
請求項２に係る発明は、前記カバー部材が、前記閉鎖位置において前記ベース部材の前記第２の電線受溝に対応する第２の電線押え溝を有していることを特徴とする。
【発明の効果】
【０００９】
本発明の電気コネクタは、接続する２本の電線のうち１本の電線を前記絶縁ハウジングの前記ベース部材に前記電線押え部材により仮止め保持した状態で、他方の電線を前記ベース部材の前記第２の電線受溝に受承させ、前記カバー部材で２本の電線を同時に押圧して接続するから、多くの電線が入りまじっていて配線が複雑な場所においても接続作業が容易に行なえる。しかも、前記第１の電線受溝に受承して前記電線押え部材で仮止め保持した電線が間違っていた場合には、前記電線押え部材を前記ベース部材に対して縦方向へ移動させるだけで、簡単に仮止め保持を解除して、電線を差し替えることができるので、使用・取扱いに便利であり、全体として接続作業の作業性を向上させることができる。
【発明を実施するための最良の形態】
【００１０】
以下、本発明の実施形態を図面に基づいて説明する。
【００１１】
図１及び図２は、本発明による電気コネクタ１を示している。該電気コネクタ１は、後述する３つの部材１０，２０，２５から成る絶縁ハウジング２と、該絶縁ハウジング２に組付け固定された板状の導電性接触子（コンタクト）３とで構成されている。
【００１２】
絶縁ハウジング２は、第１及び第２の電線受溝１１，１２が並列して設けられ、中央部位に縦方向に延在して第１及び第２の電線受溝１１，１２を画成する隔壁１３が起立しているベース部材１０と、該ベース部材１０の両側にそれぞれ２本の可撓性連結片１４，１４及び１５，１５を介して一体的に結合された電線押え部材２０及びカバー部材２５とを備えており、全体がナイロン樹脂等の絶縁材料により一体成形されている。
【００１３】
ベース部材１０は、輪郭形状がほぼ四角形の直方体に形成され、中央部に導電性接触子（コンタクト）３が挿通する切込み溝１６が第１及び第２の電線受溝１１，１２を横切って横方向に延びており、また両側壁中央部にはカバー部材２５を係止保持させる係止耳片１７，１７が突設している。さらに、図示の実施形態では、第２の電線受溝１２の一方の端部に電線（後述）の端部を当接支持させる支持突片１８が突設されている。
【００１４】
電線押え部材２０は、輪郭形状がベース部材１０の約１／２の縦方向に細長い直方体に形成され、縦方向へ延びる第１の電線押え溝２１が設けられている。該電線押え部材２０はベース部材１０に可撓性連結片１４，１４を介して、図１に示すベース部材１０から離れた開放位置からベース部材１０に重ね合わせる閉鎖位置へ移動可能なヒンジ状に連結されていて、前記閉鎖位置において第１の電線押え溝２１がベース部材１０の第１の電線受溝１１に対応するようになっている。また、電線押え部材２０の外側壁２２の上面には一組の係止爪２３，２３が突設されている。該係止爪２３，２３はベース部材１０の隔壁１３に設けた係合孔１９，１９に係合して電線押え部材２０をベース部材１０に対して前記閉鎖位置に係止保持させるもので、係合孔１９に係合して係止爪２３を容易に係合離脱可能とするため、次のように構成されている。すなわち、図１０ないし図１２に良く示されているように、係合孔１９は、係止爪２３が出入り自由な幅広部１９ａと、係止爪２３が係止される肩部１９ｃを設けた幅狭部１９ｂとを縦方向に並設した構造を有し、一方、可撓性連結片１４，１４がベース部材１０に対して斜方向に結合され、電線押え部材２０がベース部材１０に対して縦方向にも僅かに移動可能に結合されている構成となっている。また、電線押え部材２０の中央部位には前記閉鎖位置においてベース部材１０の切込み溝１６に対向する切欠き開口部２４が設けられている。
【００１５】
カバー部材２５は、輪郭形状がベース部材１０とほぼ等しい正四角形の直方体に形成され、ベース部材１０に隣接する一側部に縦方向に延びる第２の電線押え溝２６が設けられていると共に、他側部に前記閉鎖位置にある電線押え部材２０を収容する凹部２７が設けられている。該カバー部材２５は可撓性連結片１５，１５を介してベース部材１０に、図１に示すベース部材１０から離れた開放位置からベース部材１０に重ね合わせる閉鎖位置へ移動可能なヒンジ状に連結されていて、前記閉鎖位置において第２の電線押え溝２６がベース部材１０の第２の電線受溝１２に対応するようになっている。また、カバー部材２５の両側壁中央部にベース部材１０の係止耳片１７，１７に係合する係止突片２８，２８が突設されている。該係止突片２８，２８は係止耳片１７，１７の係止爪部１７ａ，１７ａが嵌合して係止される開口２９，２９を備えている。
【００１６】
導電性接触子（コンタクト）３は、例えばリン青銅等の導電性金属板を打抜き加工したもので、カバー部材２５の中央部に第２の電線押え溝２６及び凹部２７を横切って横方向に延在し、カバー部材２５に組付け固定されている。該導電性接触子（コンタクト）３は、前記閉鎖位置においてベース部材１０の第１及び第２の電線受溝１１，１２に対応する２つのスロット３１，３１を備えている。
【００１７】
次に、上記構成を備えた電気コネクタ１により２本の電線４１，４２を電気的に接続する接続作業について説明する。
【００１８】
先ず図１及び図２に示すように、絶縁ハウジング２の電線押え部材２０とカバー部材２５が開放位置にある状態において、ベース部材１０の第１の電線受溝１１に一方の電線４１を受承させ、続いて図３及び図４に示すように、電線押え部材２０をベース部材１０に重ね合わせる閉鎖位置に移動させ、第１の電線押え溝２１で電線４１を押え込むと共に、両係止爪２３，２３を係合孔１９，１９に係合し、該係合孔１９，１９の肩部１９ｃ，１９ｃに係止させて電線４１を仮止め保持する（図１１参照）。このとき、接続する電線４１が間違っている場合、図５及び図６に示すように、可撓性連結片１４，１４を弾性変形させて電線押え部材２０を縦方向へ若干移動させると、係止爪２３，２３が係合孔１９，１９の幅広部１９ａ，１９ａに変位して係合孔１９，１９から離脱可能になるので、電線押え部材２０による仮止め保持が解除され、接続すべき電線と容易に差し替えることができるものである（図１２参照）。
【００１９】
上記のように電線４１を電線押え部材２０によりベース部材１０に仮止め保持した状態で、図７に示すように、他方の電線４２をベース部材１０の第２の電線受溝１２に受承させ、その端部を支持突片１８に当接して所定位置に支持させる。続いて図８及び図９に示すように、カバー部材２５をベース部材１０に重ね合わせる閉鎖位置に移動させ、第２の電線押え溝２６で電線４２を押え込むと共に、電線４１を仮止め保持している電線押え部材２０を凹部２７に収容させた状態で、図示しないプライヤ等の挟み付け工具を用いてカバー部材２５をベース部材１０に押し付けると、該カバー部材２５に装着されている導電性接触子（コンタクト）３が電線押え部材２０の切欠き開口部２４及びベース部材１０の切込み溝１６に挿通して２本の電線４１，４２に押し込まれる。このように導電性接触子（コンタクト）３が２本の電線４１，４２に押し込まれると、各電線４１，４２に整合するスロット３１，３１の両側縁で各電線４１，４２の被覆部４１ａ，４２ａを切り込むと共に、各芯線４１ｂ，４２ｂが各スロット３１，３１に圧入して、コンタクト３に接触し、２本の電線４１，４２が導電性接触子（コンタクト）３を介して電気的に接続される（図９参照）。そして、カバー部材２５がベース部材１０の上面に完全に密着するまで押し込まれると、ベース部材１０の係止突片１７，１７の係止爪部１７ａ，１７ａがカバー部材２５の係止突片２８，２８の開口２９，２９に嵌合して係止され、図８及び図９に示すように、ベース部材１０と電線押え部材２０及びカバー部材２５がコンパクトな箱型の一体物となって接続作業が完了する。
【図面の簡単な説明】
【００２０】
【図１】本発明に係る電気コネクタの斜視図である。
【図２】同上正面図である。
【図３】本発明に係る電気コネクタの一方の電線を仮止め保持した状態を示す斜視図である。
【図４】同上正面図である。
【図５】本発明に係る電気コネクタの一方の電線を仮止め保持を解除する状態を示す斜視図である。
【図６】同上正面図である。
【図７】本発明に係る電気コネクタに接続する２本の電線を位置決めして配置した状態を示す斜視図である。
【図８】本発明に係る電気コネクタにより２本の電線を電気的に接続した状態を示す斜視図である。
【図９】本発明に係る電気コネクタにより２本の電線を電気的に接続した状態を示す中央縦断正面図である。
【図１０】本発明に係る電気コネクタの特徴的構成の説明図で、（ａ）は斜視図、（ｂ）は平面図である。
【図１１】本発明に係る電気コネクタの一方の電線を仮止め保持した状態の説明図で、（ａ）は斜視図、（ｂ）は同要部の縦断面図である。
【図１２】本発明に係る電気コネクタの一方の電線の仮止め保持を解除する状態の説明図で、（ａ）は斜視図、（ｂ）は同要部の縦断面図である。
【符号の説明】
【００２１】
１  電気コネクタ
２  絶縁ハウジング
３  導電性接触子（コンタクト）
１０  ベース部材
１１  第１の電線受溝
１２  第２の電線受溝
１３  隔壁
１４，１５  可撓性連結片
１６  切込み溝
１７  係止耳片
１７ａ  係止耳片１７の係止爪部
１８  支持突片
１９  係合孔
１９ａ  係合孔１９の幅広部
１９ｂ  係合孔１９の幅狭部
１９ｂ  係合孔１９の肩部
２０  電線押え部材
２１  第１の電線押え溝
２２  外側壁
２３  係止爪
２４  切欠き開口部
２５  カバー部材
２６  第２の電線押え溝
２７  凹部
２８  係止突片
２９  開口
３１  スロット
４１，４２  電線
４１ａ，４２ａ  電線４１，４２の被覆部
４１ｂ，４２ｂ  電線４１，４２の芯線
【図１】
2009151962.tif 000003
【図２】
2009151962.tif 000004
【図３】
2009151962.tif 000005
【図４】
2009151962.tif 000006
【図５】
2009151962.tif 000007
【図６】
2009151962.tif 000008
【図７】
2009151962.tif 000009
【図８】
2009151962.tif 000010
【図９】
2009151962.tif 000011
【図１０】
2009151962.tif 000012
【図１１】
2009151962.tif 000013
【図１２】
2009151962.tif 000014